【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
光デバイス、フォトニック集積回路またはサブアセンブリに対して制御し、モニタリングし、および／または通信するための装置であって、当該装置は、
２つのミラーを有する波長可変レーザを含む光デバイスと、
前記光デバイスに連結されたプログラム可能なハードウェアゲートを含むフィールドプログラマブルデバイスと
を備え、前記フィールドプログラマブルデバイスは、前記装置のための制御デバイスとして機能し且つ前記光デバイスに対して制御、モニタリング、および／または通信するためにゲートレベルで複数の機能を実装するように構成され、前記複数の機能のそれぞれが、前記フィールドプログラマブルデバイス内で、並列処理として走るように構成されており、
前記複数の機能は、ある温度値で、前記波長可変レーザのレーザミラー電流を同調することによって、１つまたは複数の利得電圧マップを取得する機能を含み、
前記複数の機能はさらに、前記１つまたは複数の利得電圧マップの最小値に対応するレーザ発振波長を特定する機能を含み、前記レーザ発振波長は、前記光デバイスの前記波長可変レーザを同調するか較正するために使用されている、装置。
【請求項２】
前記複数の機能が、前記フィールドプログラマブルデバイス内で異なるクロック信号で走るように構成された、請求項１に記載の装置。
【請求項３】
前記１つまたは複数の利得電圧マップの最小値は、前記波長可変レーザの最大パワー出力点として決定される、請求項１に記載の装置。
【請求項４】
前記フィールドプログラマブルデバイスが、光データの変調器／復調器、内部または外部の光学的および光電子的なモニタリングおよび制御機能からなる群から選択される前記光デバイスの１つまたは複数の部品を制御するように構成された、請求項１に記載の装置。
【請求項５】
前記フィールドプログラマブルデバイスが、１つまたは複数のフィールドプログラマブルゲートアレイ（ＦＰＧＡ）またはプログラマブル論理デバイス（ＰＬＤ）を備える、請求項４に記載の装置。
【請求項６】
前記フィールドプログラマブルデバイスが、計測温度に基づいて、および、前記フィールドプログラマブルデバイス内に格納されたテーブル間を移動すること、または温度波長マップ間に外挿することのうちの少なくとも１つによって、温度熱電冷却器（ＴＥＣ）の負荷を削減するために前記波長可変レーザのレーザ制御電流を自動的に適応して温度を計測するように構成された、請求項４に記載の装置。
【請求項７】
前記フィールドプログラマブルデバイスが、
（ｉ）前記波長可変レーザのレーザ出力パワーの制御および／またはモニタリングと、
（ｉｉ）前記光デバイスに関連する、温度の影響を受ける構成要素の制御および／またはモニタリングと、
（ｉｉｉ）前記波長可変レーザのレーザ波長の制御および／モニタリングと、
（ｉｖ）波長ロッカ機能の制御と、
（ｖ）ホストに連結された１つまたは複数の通信インターフェースの制御および／またはモニタリングと
からなる群から選択された１つまたは複数の機能を走らせるように構成された、請求項１に記載の装置。
【請求項８】
前記光デバイスが、前記フィールドプログラマブルデバイスに集積された通信インターフェースを備え、好ましくは、前記プログラマブルデバイスが、フィールドプログラマブルゲートアレイ（ＦＰＧＡ）を備える、請求項１に記載の装置。
【請求項９】
前記通信インターフェースが、前記波長可変レーザ、光データ変調器／復調器、または、モノリシックに集積された他の光または光電子部品に対する制御、モニタリング、および／または通信を可能にする、グラフィカルユーザインターフェース（ＧＵＩ）またはアプリケーションプログラミングインターフェース（ＡＰＩ）に対するソケットのうち１つまたは複数を備える、請求項８に記載の装置。
【請求項１０】
ソフトウェア層を使用して、高速な波長較正のアルゴリズムを実装するために、前記フィールドプログラマブルデバイスを通じて、前記波長可変レーザと相互作用する、請求項９に記載の装置。
【請求項１１】
前記フィールドプログラマブルデバイスが、１つまたは複数の利得電圧マップに基づき、前記波長可変レーザの前記ミラー電流の温度依存を決定し、且つ異なる温度で前記１つまたは複数の利得電圧マップに基づき、自動的に前記レーザミラー電流を適応するように構成された、請求項１に記載の装置。
【請求項１２】
前記複数の機能が、前記光デバイスの前記波長可変レーザからの光の線幅を低減し、および／または波長可変レーザからの光の周波数を安定させるために、パウンドドレバホール（ＰＤＨ）のアルゴリズムを含む、請求項１に記載の装置。
【請求項１３】
前記フィールドプログラマブルデバイスの再プログラム可能なハードウェアゲート内に前記ＰＤＨのアルゴリズムが実装され、前記再プログラム可能なハードウェアゲートのうちのいくつかが、波長ロッキングの機能を実装するために使用される、請求項１２に記載の装置。
【請求項１４】
前記フィールドプログラマブルデバイスの前記再プログラム可能なハードウェアゲートが、ホスト通信インターフェース、メモリマップ、波長のメモリおよび管理、外部の消去可能プログラマブルリードオンリメモリ（ＥＰＲＯＭ）に対するプログラマブルリードオンリメモリ（ＰＲＯＭ）−シリアル周辺機器インターフェース（ＳＰＩ）のフラッシュインターフェース、前記光デバイスに対する設定電流および電圧、光および電子構成要素のモニタリング、ボックスカー平均化装置、自動出力制御、波長ロッキング、線幅狭窄化のアルゴリズム、温度のモニタリングおよび制御、アラームの生成、ステータスのモニタリング、制御および通信、ならびにアプリケーションプログラミングインターフェースのうちの少なくとも１つを実装するように構成された、請求項１３に記載の装置。
【請求項１５】
前記フィールドプログラマブルデバイスが、無線通信を介して前記装置に連結されたグラフィカルユーザインターフェース（ＧＵＩ）からの、または、光通信リンク上の離れたサイトに設置された別の装置のＧＵＩからの、１つまたは複数の制御信号を受け取るように構成された、請求項１に記載の装置。
【請求項１６】
光変調器および半導体光増幅器、非集積型の光および光電子部品と同じ基板上に集積された波長可変レーザを含む光デバイスと、
前記光デバイス、ならびにレーザ送信機および受信機に連結されたプログラム可能なハードウェアゲートを含むフィールドプログラマブルデバイスと
を備えた光通信システムであって、前記フィールドプログラマブルデバイスは、前記光通信システムのための制御デバイスとして機能し且つ前記光デバイスに対して制御、モニタリング、および／または通信するために、ゲートレベルで複数の機能を実装するように構成され、前記複数の機能のそれぞれが、前記フィールドプログラマブルデバイス内で、並列処理として走るように構成されており、
前記複数の機能は、ある温度値で、前記波長可変レーザのレーザミラー電流に基づき、１つまたは複数の利得電圧マップを取得する機能を含み、
前記複数の機能はさらに、前記１つまたは複数の利得電圧マップの最小値に対応するレーザ発振波長を特定する機能を含み、前記レーザ発振波長は、前記光デバイスの前記波長可変レーザを同調するか較正するために使用されている、光通信システム。
【請求項１７】
前記フィールドプログラマブルデバイスが、１つまたは複数のフィールドプログラマブルゲートアレイ（ＦＰＧＡ）またはプログラマブル論理デバイス（ＰＬＤ）を備える、請求項１６に記載の光通信システム。
【請求項１８】
前記フィールドプログラマブルデバイスが、実際の通信量に基づいて前記光デバイスのリアルタイムの制御およびモニタリングのためのアプリケーションプログラミングインターフェース（ＡＰＩ）を備えるように構成された、請求項１７に記載の光通信システム。
【請求項１９】
前記複数の機能が、前記フィールドプログラマブルデバイス内で異なるクロック信号で走るように構成された、請求項１６に記載の光通信システム。
【請求項２０】
前記フィールドプログラマブルデバイスが、前記光変調器および前記半導体光増幅器、非集積型の光および光電子部品と同じ基板上に集積された前記波長可変レーザに対する制御、モニタリング、および／または通信を可能にするグラフィカルユーザインターフェース（ＧＵＩ）またはアプリケーションプログラミングインターフェース（ＡＰＩ）に対するソケットのうち１つまたは両方を含む通信インターフェースを備える、請求項１６に記載の光通信システム。